(57)【要約】【課題】櫛歯状の絵素電極が備えられた液晶表示パネルにおいて、表示品位の低下を抑制する。【解決手段】絵素電極４０には、スリット５０が複数本互いに平行な方向に設けられることで櫛歯状の枝線部４４が形成されており、枝線部４４は、幹線部４２と接続されている枝線根元部４６と枝線根元部４６から延設されている枝線本体部４８とを有しており、枝線根元部１６と幹線部４２とのなす角θ１が、枝線本体部４８と幹線部４２とのなす角θ３よりも大きい。【選択図】図１
2010139825.tif 000002
【特許請求の範囲】
【請求項１】
２枚の基板に液晶層が挟持されてなるとともに、複数個の絵素がマトリクス状に配置されている液晶表示パネルであって、
少なくとも一方の上記基板には、上記絵素に対応した絵素電極が設けられており、
上記絵素には、上記液晶層に含まれる液晶分子の配向方向が異なる複数個の配向領域が設けられており、
上記各配向領域に対応した上記絵素電極の電極領域には、当該電極領域毎にスリットが複数本互いに平行な方向に設けられることで櫛歯状の枝線部が形成されており、
隣接する上記配向領域では、対応する上記電極領域に設けられている上記スリットの方向が異なっており、
上記絵素電極には、各電極領域における櫛歯状の枝線部を、互いに電気的に接続するための幹線部が設けられており、
上記枝線部は、上記幹線部と接続されている枝線根元部と、当該枝線根元部から延設されている枝線本体部とを有しており、
前記枝線根元部と上記幹線部とのなす角が、上記枝線本体部と上記幹線部とのなす角よりも大きいことを特徴とする液晶表示パネル。
【請求項２】
上記枝線根元部と、上記幹線部とのなす角が７５度以上９０度以下であることを特徴とする請求項１に記載の液晶表示パネル。
【請求項３】
上記枝線根元部と、上記幹線部とのなす角が８０度以上９０度以下であることを特徴とする請求項１に記載の液晶表示パネル。
【請求項４】
上記枝線本体部と上記幹線部とのなす角が、４０度以上５０度以下であることを特徴とする請求項１〜３のいずれか１項に記載の液晶表示パネル。
【請求項５】
隣接する上記電極領域の各枝線根元部は、上記幹線部と、同じ位置で電気的に接続されていることを特徴とする請求項１〜４のいずれか１項に記載の液晶表示パネル。
【請求項６】
上記絵素は長方形であり、上記配向領域が上記長方形の一辺と平行な方向に２個、上記一辺と直交する方向に２個設けられることで、上記１個の絵素に上記配向領域が４個設けられており、
上記幹線部は、上記配向領域の境界に対応する絵素電極に設けられることで、十字状に形成されていることを特徴とする請求項１〜５のいずれか１項に記載の液晶表示パネル。
【請求項７】
上記液晶分子の配向が、上記液晶層に含まれたポリマーにより規制されていることを特徴とする請求項１〜６のいずれか１項に記載の液晶表示パネル。
【発明の詳細な説明】
【技術分野】
【０００１】
本発明は、液晶表示パネル、特には、櫛歯状の絵素電極が設けられた液晶表示パネルに関するものである。
【背景技術】
【０００２】
従来から、表示装置の一部として、液晶表示パネル、中でもアクティブマトリクス型の液晶表示パネルが広く用いられている。
【０００３】
このアクティブマトリクス型の液晶表示パネルには、その各絵素にスイッチング素子が設けられ、このスイッチング素子を制御するために、複数本の走査信号線と映像信号線とが互いに交差するように設けられている。そして、上記走査信号線と映像信号線との交点に上記スイッチング素子が設けられるとともに、各々のスイッチング素子に接続された絵素電極が、上記各絵素に対応して設けられている。
【０００４】
（配向モード）
ここで、上記液晶表示パネルにおける液晶分子の配向モードには、種々のモードが提案されている。以下、液晶分子の配向モードについて説明する。
【０００５】
液晶分子の配向モードには、例えば、液晶分子が約９０度ねじれた配向モードであるＴＮ（Ｔｗｉｓｔｅｄ  Ｎｅｍａｔｉｃ）モードや、液晶分子が基板に対して垂直に近い方向に配向するモードであるＶＡ（Ｖｅｒｔｉｃａｌ  Ａｌｉｇｎｍｅｎｔ）モード等、種々の配向モードが提案されている。
【０００６】
そして、特に上記ＶＡモード等において、視野角依存性を向上させるために、１個の絵素に、複数の配向領域、すなわちマルチドメインが設けられる場合がある。そして、かかるマルチドメインを形成するために、絵素電極に異なる方向のスリットを設ける構成などが提案されている。
【０００７】
また、ポリマー配向支持（ＰＳＡ：Ｐｏｌｙｍｅｒ  Ｓｕｓｔａｉｎｅｄ  Ａｌｉｂｎｍｅｎｔ）技術により、液晶分子の配向をポリマーにより規制する技術も提案されている。
【０００８】
（特許文献１）
例えば特許文献１には、異なる複数方向に伸びるストライプ状電極（櫛歯状の絵素電極）が設けられた液晶表示パネルが記載されている。
【０００９】
また、上記特許文献１には、液晶層に含まれたポリマーを用いて液晶分子のプレチルト角や配向方向を規制することが記載されている。
【００１０】
（特許文献２）
また、特許文献２には、電極をストライプ状にすることや、液晶分子のプレチルト角や傾斜方向を規定するポリマー層を設けることが記載されている。
【特許文献１】特開２００３−１４９６４７号公報（公開日：２００３（平成１５）年５月２１日）
【特許文献２】特開２００３−１７７４１８号公報（公開日：２００３（平成１５）年６月２７日）
【発明の開示】
【発明が解決しようとする課題】
【００１１】
しかしながら、上記従来の液晶表示パネルは、ノーマリーブラックモードでの白表示状態における透過率が低いという問題を有している。
【００１２】
（絵素電極）
以下、図に基づいて説明する。図４は、従来の液晶表示パネル２０における、櫛歯状に形成された絵素電極４０の概略構成を示す図である。
【００１３】
上記図４に示す絵素電極４０は、主に幹線部４２と枝線部４４とから構成されている。そして、上記幹線部４２は、絵素３０内において、十字型に互いに略直交するように設けられている。具体的には、上記幹線部４２は、図４に示すＸ方向（両矢印Ｘ）とＹ方向（両矢印Ｙ）とに沿った方向に設けられている。
【００１４】
そして、上記枝線部４４は、上記幹線部４２から斜め方向に延設されている。詳しくは、上記絵素３０を上記幹線部４２で、４個の領域（図４に示す、領域Ｒ１・Ｒ２・Ｒ３・Ｒ４）に分けた場合、各々の領域において、異なる方向に延設されている。言い換えると、絵素電極４０に、異なる方向に、平行した複数本のスリット５０が設けられている。
【００１５】
具体的には、図４に示す方位角（θ）を用いてあらわすと、上記枝線部４４は、各々の領域において、４５度、１３５度、２２５度、３１５度の方向に、上記幹線部４２から延設されている。そして、上記各領域においては、上記枝線部４４は、互いに平行な方向に延設されている。
【００１６】
以上より、絵素電極４０は、４個の方向の異なる櫛歯群を有し、魚の骨のような形（幹線部４２が魚の骨の背骨）となっている。また、上記各枝線部４４と、幹線部４２とは、幹線部４２を介して電気的に接続されている。
【００１７】
なお、上記方位角は、液晶表示パネルの中心を原点とし、視線を液晶表示パネルに投影してできる直線と液晶表示パネルのＸ軸（上記両矢印Ｘ）とのなす角度を示している。
【００１８】
（液晶分子の配向）
そして、例えば垂直配向型液晶表示パネルなどにおいて、液晶分子は、上記枝線部４４の延伸方向に応じて配向しやすい。また、液晶分子に電圧が印加された際の液晶分子の傾斜も、上記枝線部４４の延伸方向にその傾斜方向が影響されやすい。
【００１９】
そのため、上記図４に示したように、絵素３０内に、枝線部４４の延伸方向が異なる４個の領域が設けられている場合には、液晶分子の配向領域も４個形成されている。ここで、配向領域はとは、液晶層に含まれる液晶分子の配向方向がほぼそろっている領域を意味する。
【００２０】
そして、平面視において、上記幹線部４２上及びその近傍領域（合わせて境界領域Ｒ１０）の液晶分子は、その配向が乱れやすい。これは、上記境界領域Ｒ１０では、上記液晶分子の配向方向が異なる配向領域が接する領域となるからである。
【００２１】
また、上記魚の骨の形の絵素電極４０における上記幹線部４２は、一般的に液晶分子の配向方向、特にはその方位角方向を規定する力が強くはない。そのため、上記境界領域Ｒ１０において、液晶分子の方位角方向にぶれが発生しやすい。そして、この液晶分子の配向方向のぶれが、上記配向の乱れの原因となりやすい。
【００２２】
（透過率の低下）
そして、上記近傍領域における液晶分子の配向の乱れ、特には、その方位角方向のぶれは、表示品位の低下を招きやすい。
【００２３】
具体的には、例えば液晶表示パネルがノーマリーブラック型である場合、上記近傍領域は、白表示状態において暗線（黒線）となる。
【００２４】
図５は、上記図４に示した絵素電極４０を有する絵素の表示の様子を示す図である。詳しくは、ノーマリーブラック型の液晶表示パネル２０において、白表示を行った際の絵素の見え方を示している。
【００２５】
上記図５に示すように、絵素電極４０の幹線部及びその近傍領域である上記境界領域Ｒ１０に、暗線Ｌ１が生じている。
【００２６】
そして、絵素３０内に上記暗線Ｌ１が存在することで、透過率が低下する。また、白表示時に上記暗線Ｌ１が存在することは、表示品位の低下を招く。
【００２７】
そこで、本発明は、上記の問題点に鑑みてなされたものであり、その目的は、櫛歯状の絵素電極が備えられた液晶表示パネルにおいて、表示品位の低下が抑制された液晶表示パネルを提供することにある。
【００２８】
より詳しくは、上記液晶表示パネルにおける上記境界領域での液晶分子の配向乱れを抑制することで、表示品位の低下を抑制することが可能な液晶表示パネルを提供することにある。
【課題を解決するための手段】
【００２９】
本発明の液晶表示パネルは、上記課題を解決するために、２枚の基板に液晶層が挟持されてなるとともに、複数個の絵素がマトリクス状に配置されている液晶表示パネルであって、少なくとも一方の上記基板には、上記絵素に対応した絵素電極が設けられており、上記絵素には、上記液晶層に含まれる液晶分子の配向方向が異なる複数個の配向領域が設けられており、上記各配向領域に対応した上記絵素電極の電極領域には、当該電極領域毎にスリットが複数本互いに平行な方向に設けられることで櫛歯状の枝線部が形成されており、隣接する上記配向領域では、対応する上記電極領域に設けられている上記スリットの方向が異なっており、上記絵素電極には、各電極領域における櫛歯状の枝線部を、互いに電気的に接続するための幹線部が設けられており、上記枝線部は、上記幹線部と接続されている枝線根元部と、当該枝線根元部から延設されている枝線本体部とを有しており、前記枝線根元部と上記幹線部とのなす角が、上記枝線本体部と上記幹線部とのなす角よりも大きいことを特徴としている。
【００３０】
上記の構成によれば、枝線部に、幹線部と接続されている枝線根元部と、当該枝線根元部から延設されている枝線本体部とが設けられている。
【００３１】
そして、前記枝線根元部と上記幹線部とのなす角が、上記枝線本体部と上記幹線部とのなす角よりも大きくなっている。
【００３２】
そのため、枝線根元部と幹線部とが接続されている部分近傍で、オーバーシュート効果により、液晶分子のチルト角が大きくなる。その結果、上記液晶分子に電圧が印可され、液晶表示パネルがＯＮ表示のとなった場合、上記幹線部近傍の液晶分子の配向状態が、上記枝線部近傍の液晶分子の配向状態に近づく。よって、上記枝線部近傍と幹線部近傍との境界における液晶分子の配向乱れの発生を抑制することができる。
【００３３】
したがって、幹線部近傍の液晶分子の配向状態と、上記枝線部近傍の液晶分子の配向状態が相違することで生じる表示品位の低下を抑制することができる。
【００３４】
以上より、上記の構成によれば、枝線部と幹線部とが備えられることにより櫛歯状の絵素電極が備えられた液晶表示パネルにおいて、表示品位の低下が抑制された液晶表示パネルを提供することができる。
【００３５】
なお、上記なす角とは、２本の線が交わることで規定される角度のうち、値の小さい方の角度を意味する。
【００３６】
また、本発明の液晶表示パネルは、上記枝線根元部と、上記幹線部とのなす角が７５度以上９０度以下であることを特徴とする。
【００３７】
また、本発明の液晶表示パネルは、上記枝線根元部と、上記幹線部とのなす角が８０度以上９０度以下であることを特徴とする。
【００３８】
上記の構成によれば、枝線根元部と幹線部とのなす角が７５度以上９０度以下、より好ましくは８０度以上９０度以下であるので、大きなオーバーシュート効果を得ることができる。
【００３９】
そのため、上記表示品位の低下をより抑制することができる。
【００４０】
また、本発明の液晶表示パネルは、上記枝線本体部と上記幹線部とのなす角が、４０度以上５０度以下であることを特徴とする。
【００４１】
上記の構成によれば、各枝線本体部と上記幹線部とのなす角が、４０度以上５０度以下であるので、配向領域毎の液晶分子の配向方向を大きく変えることが容易になる。
【００４２】
そのため、視野角依存性の少ない液晶表示パネルを実現することが容易になる。
【００４３】
また、本発明の液晶表示パネルは、隣接する上記電極領域の各枝線根元部は、上記幹線部と、同じ位置で電気的に接続されていることを特徴とする。
【００４４】
上記の構成によれば、隣接する電極領域、すなわち隣接する配向領域からの枝線根元部が幹線部と同じ位置で交わっている。
【００４５】
そのため、より大きい上記オーバーシュート効果を得ることが容易になり、上記表示品位の低下をより抑制することができる。
【００４６】
また、本発明の液晶表示パネルは、上記絵素は長方形であり、上記配向領域が上記長方形の一辺と平行な方向に２個、上記一辺と直交する方向に２個設けられることで、上記１個の絵素に上記配向領域が４個設けられており、上記幹線部は、上記配向領域の境界に対応する絵素電極に設けられることで、十字状に形成されていることを特徴とする。
【００４７】
上記の構成によれば、配向領域が、１個の画素に、２列×２行、計４個設けられている。
【００４８】
そのため、視野角依存性のより少ない液晶表示パネルを実現することができる。
【００４９】
なお、上記長方形には、その一例として正方形も含まれている。
【００５０】
また、本発明の液晶表示パネルは、上記液晶分子の配向が、上記液晶層に含まれたポリマーにより規制されていることを特徴とする。
【００５１】
上記構成による液晶表示パネルは、液晶分子の配向が液晶層に含まれたポリマーにより規制される、いわゆるＰＳＡ型の液晶表示パネルとして構成されている。
【００５２】
上記の構成によれば、枝線部に、上記幹線部とのなす角が大きい枝線根元部が設けられているので、上記表示品位の低下が抑制されやすい。
【発明の効果】
【００５３】
本発明の液晶表示パネルは、以上のように、少なくとも一方の基板には、絵素に対応した絵素電極が設けられており、絵素には、液晶層に含まれる液晶分子の配向方向が異なる複数個の配向領域が設けられており、各配向領域に対応した上記絵素電極の電極領域には、当該電極領域毎にスリットが複数本互いに平行な方向に設けられることで櫛歯状の枝線部が形成されており、隣接する上記配向領域では、対応する上記電極領域に設けられている上記スリットの方向が異なっており、上記絵素電極には、各電極領域における櫛歯状の枝線部を、互いに電気的に接続するための幹線部が設けられており、上記枝線部は、上記幹線部と接続されている枝線根元部と、当該枝線根元部から延設されている枝線本体部とを有しており、前記枝線根元部と上記幹線部とのなす角が、上記枝線本体部と上記幹線部とのなす角よりも大きい。
【００５４】
それゆえ、櫛歯状の絵素電極が備えられた液晶表示パネルにおいて、表示品位の低下が抑制された液晶表示パネルを提供することができるという効果を奏する。
【発明を実施するための最良の形態】
【００５５】
本発明の一実施の形態について図１から図３に基づいて説明すると以下の通りである。
【００５６】
ここで、図１は、本実施の形態の液晶表示パネルにおける絵素電極の概略構成を示す図である。また、図２は、本実施の形態の液晶表示パネルにおける絵素の表示の様子を示す図である。また、図３は、本実施の形態の液晶表示パネルにおける、液晶分子の配向の様子の概略を示す図である。
【００５７】
本実施の形態の液晶表示パネル２０は、従来からの液晶表示パネルとほぼ同様な概略構成を有している。すなわち、２枚の基板に液晶層が挟持されるとともに、複数個の絵素がマトリクス状に配置されている。そして、上記基板の少なくとも一方には、上記絵素に対応した絵素電極４０が設けられている。
【００５８】
そして、本実施の形態の液晶表示パネル２０における絵素電極４０は、先に図４に基づいて説明した絵素電極４０と比べ、枝線部４４に、幹線部４２とのなす角が大きい枝線根元部４６が設けられている点が特徴である。
【００５９】
詳しくは、上記図１に示すように、絵素電極４０にスリット５０が設けられることにより、絵素電極４０は幹線部４２と枝線部４４とに分けられている。また、本実施の形態の絵素３０には、４個の配向領域Ｒ１〜Ｒ４が、縦２列、横２行のマトリクス状に設けられている。そして、上記各配向領域では、絵素電極４０の対応する領域（電極領域）に、上記スリット５０は複数本、互いに平行に設けられている。これにより、各配向領域に、上記枝線部４４が、櫛歯状の電極として形成された状態となっている。また、上記幹線部４２は、上記マトリクス状に配置された各配向領域の間に、十字型に設けられており、各配向領域に設けられた枝線部４４を互いに連結している。
【００６０】
そして、本実施の形態における枝線部４４は、上記幹線部との付け根に当たる部分である枝線根元部４６と、上記枝線部４４における上記枝線根元部４６以外の部分である枝線本体部４８とを有している。
【００６１】
すなわち、上記枝線部４４は、上記枝線根元部４６で上記幹線部４２から枝分かれし、上記枝線根元部４６から延伸された枝線本体部４８で、絵素３０の周辺まで延伸された構造を有している。
【００６２】
そして、上記枝線根元部４６と、上記枝線本体部４８とでは、幹線部４２とのなす角が相違している。
【００６３】
なお、枝線本体部４８と、上記幹線部４２とのなす角が相違する上記枝線根元部４６は、すべての枝線部４４に設けられている必要はない。
【００６４】
本実施の形態では、上記図１に示すように、大角度領域Ｒ２０で示した領域に、上記枝線根元部４６が設けられた構成を例示している。
【００６５】
以下、より具体的に説明する。上記大角度領域Ｒ２０の枝線部４４では、枝線部４４は、上記幹線部４２に対してほぼ直角方向に延伸する枝線根元部４６により、上記幹線部４２に接続されている。
【００６６】
そして、上記枝線根元部４６の、上記幹線部４２と接続された方とは反対の端から、上記枝線本体部４８が延伸されている。この枝線本体部４８は、上記幹線部４２とのなす角が、上記枝線根元部４６と上記幹線部４２とのなす角よりも小さくなる方向に、延伸されている。
【００６７】
以下、より具体的に説明する。
【００６８】
すなわち、上記図１に示すように、上記幹線部４２の延伸方向をＤ１、互いに角度の相違する枝線根元部４６と枝線本体部４８とが設けられた枝線部４４において、その枝線根元部４６の延伸方向をＤ３、その枝線本体部４８の延伸方向をＤ５、また、枝線根元部と枝線本体部との角度が異ならない枝線部４４における当該枝線部４４の延伸方向をＤ７とする。
【００６９】
本実施の形態における絵素電極４０では、上記Ｄ１とＤ３とのなす角θ１は、９０度である。すなわち、上記枝線根元部４６は、上記大角度領域Ｒ２０において、上記幹線部４２から垂直方向に引き出されている。
【００７０】
なお、枝線根元部４６と幹線部４２との上記なす角θ１は、９０度に限定されず、例えば、７５度以上９０度以下、好ましくは８０度以上９０度以下とすることができる。
【００７１】
また、上記絵素電極４０では、上記Ｄ１とＤ５とのなす角θ３は４５度である。すなわち、上記枝線本体部４８は、上記幹線部４２に対して４５度の方向に延伸されている。
【００７２】
また、上記絵素電極４０では、上記Ｄ７とＤ５とのなす角θ５も４５度である。すなわち、角度の異なる枝線根元部４６及び枝線本体部４８が設けられていない枝線部４４も、上記幹線部４２から４５度の方向に延伸されている。
【００７３】
以上のように、上記絵素電極４０では、上記大角度領域Ｒ２０において幹線部４２から引き出された枝線部４４と、それ以外の領域において幹線部４２から引き出された枝線部４４とは、平行に延伸されている。
【００７４】
なお、上記なす角θ３及びθ５は、上記４５度に限定されるものではない。
【００７５】
また、上記図１は、１辺の長さが５０μｍの正方形の絵素３０における絵素電極４０の構成例を示している。
【００７６】
このように、本実施の形態の絵素電極４０では、同じ配向領域内で、枝線部４４の主たる延伸方向は平行となっている。そして、絵素３０を、例えば魚の骨型のＩＴＯパターン等の絵素電極４０を用いて配向分割する際に、幹から分岐する枝の根元の角度のみを大きくしている。すなわち、枝の根元と幹とが成す角度が大きくなっている。
【００７７】
そして、このような構成とすることで、配向分割における境界領域に発生しやすい暗線に基づく透過率の低下を抑制することができる。以下、図２に基づいて説明する。
【００７８】
図２は、本実施の形態の液晶表示パネル２０の絵素３０のにおける表示の様子を示す図である。具体的には、ノーマリーブラックパネルでの白表示状態を示している。
【００７９】
上記図２に示すように、各配向領域（Ｒ１・Ｒ２・Ｒ３・Ｒ４）における境界の領域である境界領域Ｒ１０には、暗線Ｌ１が表示されている。しかしながら、本実施の形態の絵素３０における暗線Ｌ１は、先に図５に示した従来の絵素３０における暗線Ｌ１に比べて、その幅が狭くなっている。そのため、本実施の形態の液晶表示パネルでは、上記暗線Ｌ１の発生に起因する表示品位の低下が抑制されている。
【００８０】
この暗線Ｌ１の幅の縮小は、上記大角度領域Ｒ２０におけるオーバーシュートの効果によると考えられる。以下、図３に基づいて説明する。
【００８１】
図３は、本実施の形態の絵素３０における液晶分子６０の配向の様子を示す図である。詳しくは、上記図１に示す領域Ａに相当する部分における液晶分子６０の配向の様子を示している。
【００８２】
図３に示すように、絵素電極４０の枝線部４４における枝線本体部４８の近傍領域である枝線本体領域Ｒ３０では、液晶分子６０は、その長手方向が枝線本体部４８の延伸方向と平行になるように配向する。
【００８３】
そして、本実施の形態における絵素電極４０では、先に図１に基づいて説明したとおり、枝線本体部４８の延伸方向が異なる４個の配向領域Ｒ１〜Ｒ４が設けられている。そのため、上記各配向領域Ｒ１〜Ｒ４が接する境界領域Ｒ１０が形成される。
【００８４】
上記図３では、配向領域Ｒ３と配向領域Ｒ４との境界領域Ｒ１０を示している。上記領域Ａにおいて、この境界領域Ｒ１０は、Ｙ方向に延伸する幹線部４２の近傍領域をさす。そして、この境界領域Ｒ１０では、液晶分子６０は、上記幹線部４２とほぼ平行な方向に配向している。
【００８５】
この境界領域Ｒ１０における、各配向領域Ｒ１〜Ｒ４とは異なる方向に配向した液晶分子６０が、例えばノーマリーホワイトモードにおける上記暗線のような表示品位の低下の原因となる。
【００８６】
ここで、本実施の形態の絵素電極４０では、枝線部４４における上記幹線部４２から分岐する根元部分に、枝線根元部４６が設けられている。そして、この枝線根元部６４は、先に説明したとおり、上記幹線部４２とのなす角が大きくなるように設けられている。
【００８７】
そのため、上記枝線根元部４６の近傍領域である、枝線根元領域Ｒ４０の液晶分子６０に対して、いわゆるオーバーシュートがかかる。したがって、表示品位の低下の原因となる上記暗線などの線幅を狭くすることができる。その結果、上記表示品位の低下を抑制することができる。
【００８８】
これは、液晶分子６０に上記オーバーシュートがかかることで、上記枝線根元領域Ｒ４０においては、液晶分子６０のチルト角が大きくなる。ここで、上記チルト角とは、基板の表面と液晶分子とがなす角、言い換えると仰角のことを意味する。
【００８９】
そのため、例えばノーマリーブラック型の液晶表示パネルにおいて白表示を行う際、液晶分子がオン配向（電圧が印加された状態の配向）になりやすい。したがって、上記枝線根元領域Ｒ４０及び上記大角度領域Ｒ２０では、白表示を行う際、暗線が生じにくくなる。
【００９０】
ここで、暗線が生じやすい上記境界領域Ｒ１０は、隣接する２個の枝線根元領域Ｒ４０にはさまれている。
【００９１】
よって、本実施の形態における境界領域Ｒ１０に発生する暗線は、その幅が狭くなりやすい。
【００９２】
そして、本実施の形態の液晶表示パネル２０では、白表示を行う際の暗線の幅が狭くなっているので、透過率の減少などによる表示品位の低下を抑制することができる。
【００９３】
なお、本実施の形態の液晶分子の配向方法（配向モード）は、特には限定されないが、いわゆるポリマー配向支持（ＰＳＡ：Ｐｏｌｙｍｅｒ  Ｓｕｓｔａｉｎｅｄ  Ａｌｉｂｎｍｅｎｔ）技術による配向方法と組み合わせることで、その表示品位低下の抑制効果をよりよく発揮させることができる。ここで、ポリマー配向支持とは、液晶分子の配向を、液晶層に含まれたポリマーやオリゴマーにより規制することを言う。具体的には、液晶分子に電圧を印可して液晶分子をチルトさせた状態で、モノマーを重合する。そして、液晶分子の傾斜方向を規定する。
【００９４】
そして、上記ＰＳＡ技術による液晶分子の配向を前提とした場合、本実施の形態の液晶表示パネル２０では、シミュレーションによると、その透過率が印加電圧５Ｖにおいて２５．５％から２５．８％に高まった。
【００９５】
本発明は上記した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【００９６】
透過率の低下等による表示品位の低下を抑制することができるので、高い表示品位が要求される液晶テレビ等に好適に利用可能である。
【図面の簡単な説明】
【００９７】
【図１】本発明の実施の形態を示すものであり、絵素電極の概略構成を示す図である。
【図２】本発明の実施の形態を示すものであり、絵素の表示の様子を示す図である。
【図３】本発明の実施の形態を示すものであり、液晶分子の配向の概略を示す図である。
【図４】従来技術を示すものであり、絵素電極の概略構成を示す図である。
【図５】従来技術を示すものであり、絵素の表示の様子を示す図である。
【符号の説明】
【００９８】
２０    液晶表示パネル
３０    絵素
４０    絵素電極
４２    幹線部
４４    枝線部
４６    枝線根元部
４８    枝線本体部
５０    スリット
６０    液晶分子
【図１】
2010139825.tif 000003
【図３】
2010139825.tif 000004
【図４】
2010139825.tif 000005
【図２】
2010139825.tif 000006
【図５】
2010139825.tif 000007